(57)【要約】【課題】映像出力装置に映像コンテンツの選択状態を通知する手段がない場合でも、表示装置が表示する映像（コンテンツ）を切換え可能にすることを目的とする。【解決手段】記憶されたコンテンツと表示中のコンテンツとを比較するコンテンツ比較手段と、コンテンツ比較手段で記憶されたコンテンツと表示中のコンテンツとが同じであると判断された場合、記憶された表示位置と表示中のコンテンツの表示位置とを比較する表示位置比較手段と、表示位置比較手段で、記憶された表示位置と表示中のコンテンツの表示位置とが異なると判断された場合、表示するコンテンツを切換える制御手段と、を有することによって課題を解決する。【選択図】図６
2010288159.tif 000002
【特許請求の範囲】
【請求項１】
記憶されたコンテンツと表示中のコンテンツとを比較するコンテンツ比較手段と、
前記コンテンツ比較手段で記憶されたコンテンツと表示中のコンテンツとが同じであると判断された場合、記憶された表示位置と表示中のコンテンツの表示位置とを比較する表示位置比較手段と、
前記表示位置比較手段で、記憶された表示位置と表示中のコンテンツの表示位置とが異なると判断された場合、表示するコンテンツを切換える制御手段と、
を有する表示装置。
【請求項２】
前記制御手段は、前記表示位置比較手段で、記憶された表示位置と表示中のコンテンツの表示位置とが異なると判断された場合、表示するコンテンツを第一のコンテンツ出力装置のコンテンツから第二のコンテンツ出力装置のコンテンツに切換える、請求項１記載の表示装置。
【請求項３】
初期画面をコンテンツとして記憶装置に記憶するコンテンツ記憶手段と、
前記初期画面の表示順の位置を表示位置として記憶装置に記憶する表示位置記憶手段と、
を更に有し、
前記コンテンツ比較手段は、前記コンテンツ記憶手段によって記憶装置に記憶されたコンテンツと表示中のコンテンツとを比較し、
前記表示位置比較手段は、前記表示位置記憶手段によって記憶装置に記憶された表示位置と表示中のコンテンツの表示順の位置である表示位置とを比較する、請求項１又は２記載の表示装置。
【請求項４】
初期画面を圧縮する初期画面圧縮手段と、
表示中の画面がスクロールされた場合、前記画面を圧縮する表示画面圧縮手段と、
を更に有し、
前記コンテンツ記憶手段は、前記初期画面圧縮手段で圧縮された初期画面をコンテンツとして記憶装置に記憶し、
前記コンテンツ比較手段は、前記コンテンツ記憶手段によって記憶装置に記憶されたコンテンツと前記表示画面圧縮手段で圧縮された表示中の画面である表示中のコンテンツとを比較する、請求項３記載の表示装置。
【請求項５】
表示中の画面のスクロールが一つ前の画面のスクロールの方向と逆であった場合、前記画面を圧縮する表示画面圧縮手段を更に有し、
前記コンテンツ記憶手段は、更に、前記表示画面圧縮手段で圧縮された画面をコンテンツとして記憶装置に記憶し、
前記表示位置記憶手段は、更に、前記画面の表示順の位置を表示位置として記憶装置に記憶し、
前記表示画面圧縮手段は、更に、表示中の画面のスクロールが一つ前の画面のスクロールの方向と同じであった場合、前記画面を圧縮し、
前記コンテンツ比較手段は、前記コンテンツ記憶手段によって記憶装置に記憶されたコンテンツと前記表示画面圧縮手段で圧縮された表示中の画面である表示中のコンテンツとを比較し、
前記表示位置比較手段は、前記表示位置記憶手段によって記憶装置に記憶された表示位置と表示中のコンテンツの表示順の位置である表示位置とを比較する、請求項３記載の表示装置。
【請求項６】
表示装置が実行する制御方法であって、
記憶されたコンテンツと表示中のコンテンツとを比較するコンテンツ比較ステップと、
前記コンテンツ比較ステップで記憶されたコンテンツと表示中のコンテンツとが同じであると判断された場合、記憶された表示位置と表示中のコンテンツの表示位置とを比較する表示位置比較ステップと、
前記表示位置比較ステップで、記憶された表示位置と表示中のコンテンツの表示位置とが異なると判断された場合、表示するコンテンツを切換える制御ステップと、
を含む制御方法。
【請求項７】
コンピュータを、
記憶されたコンテンツと表示中のコンテンツとを比較するコンテンツ比較手段と、
前記コンテンツ比較手段で記憶されたコンテンツと表示中のコンテンツとが同じであると判断された場合、記憶された表示位置と表示中のコンテンツの表示位置とを比較する表示位置比較手段と、
前記表示位置比較手段で、記憶された表示位置と表示中のコンテンツの表示位置とが異なると判断された場合、表示するコンテンツを切換える制御手段と、
して機能させる、プログラム。
【発明の詳細な説明】
【技術分野】
【０００１】
本発明は、表示装置、制御方法及びプログラムに関する。
【背景技術】
【０００２】
近年、テレビ等の表示装置として、各種ネットワークを通して複数の映像出力装置と接続可能なものが普及しつつある。ネットワークを通して、映像出力装置の映像コンテンツデータを表示装置に送信することで、表示装置で映像出力装置の映像コンテンツを閲覧することができる。また、操作コマンドは限定されるが、表示装置に入力された操作コマンドを、ネットワークを通して映像出力装置に送信し、映像出力装置を操作することができる。
映像コンテンツ閲覧システムの１例として、特許文献１に記載の映像受信システムが考案されている。（特許文献１参照）。
【先行技術文献】
【特許文献】
【０００３】
【特許文献１】特開２００４−３０４２２０号公報
【発明の概要】
【発明が解決しようとする課題】
【０００４】
特許文献１の映像受信システムでは、以下のような課題がある。
まず、上記映像受信システムの動作を説明する。上記映像受信システムでは、テレビに映像出力装置Ａと映像出力装置Ｂとが接続されている。テレビに映像出力装置Ａの最後の映像コンテンツが表示されている状態である。映像出力装置Ａが、次の映像コンテンツを選択する信号を受信する。表示中のコンテンツが最後の映像コンテンツなので、映像出力装置Ａは、テレビに最後の映像コンテンツであることを通知する。最後のコンテンツであると通知されたテレビは、映像出力装置Ｂに表示を切換える。テレビに映像出力装置Ｂの最初のコンテンツが表示される。
つまり、上記映像受信システムに接続される映像出力装置には、映像コンテンツの選択状態を通知する手段が必要である。
したがって、上記映像受信システムは、映像コンテンツの選択状態を通知する手段がない映像出力装置には、対応できない課題がある。
【０００５】
本発明はこのような問題点に鑑みなされたもので、映像出力装置に映像コンテンツの選択状態を通知する手段がない場合でも、表示装置が表示する映像（コンテンツ）を切換え可能にすることを目的とする。
【課題を解決するための手段】
【０００６】
そこで、本発明の表示装置は、記憶されたコンテンツと表示中のコンテンツとを比較するコンテンツ比較手段と、前記コンテンツ比較手段で記憶されたコンテンツと表示中のコンテンツとが同じであると判断された場合、記憶された表示位置と表示中のコンテンツの表示位置とを比較する表示位置比較手段と、前記表示位置比較手段で、記憶された表示位置と表示中のコンテンツの表示位置とが異なると判断された場合、表示するコンテンツを切換える制御手段と、を有する。
【発明の効果】
【０００７】
本発明によれば、映像出力装置に映像コンテンツの選択状態を通知する手段がない場合でも、表示装置が表示する映像（コンテンツ）を切換え可能にすることができる。
【図面の簡単な説明】
【０００８】
【図１】映像表示システムのシステム構成の一例を示す図である。
【図２】表示装置のリモコンの構成図である。
【図３】記憶部に記憶されるデータテーブルの一例を示す図である。
【図４】従来の表示装置での表示画面の画面遷移を説明するための図である。
【図５】実施形態１における表示画面の画面遷移を説明するための図である。
【図６】実施形態１における制御フローチャートである。
【図７】実施形態２における制御フローチャートである。
【図８】実施形態３における表示画面の画面遷移を説明するための図である。
【図９】実施形態３における制御フローチャートである。
【発明を実施するための形態】
【０００９】
以下、本発明の実施形態について図面に基づいて説明する。
＜実施形態１＞
図１は、映像表示システムのシステム構成の一例を示す図である。ここでは、表示装置（コンピュータ）に複数のデジタルカメラがコンテンツ出力装置の一例として接続されている場合を説明する。
本実施形態の映像表示システムには、表示装置１０１、デジタルカメラＡ２０１ａ、デジタルカメラＢ２０１ｂが含まれる。表示装置１０１、デジタルカメラＡ２０１ａ、デジタルカメラＢ２０１ｂは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格のケーブルで接続されている。デジタルカメラＡ２０１ａは、表示装置１０１のＨＤＭＩ１のポートにＨＤＭＩケーブル３０１ａで接続されている。デジタルカメラＢ２０１ｂは、ＨＤＭＩ２のポートにＨＤＭＩケーブル３０１ｂで接続されている。デジタルカメラＡ２０１ａは、第一のコンテンツ出力装置の一例である。デジタルカメラＢ２０１ｂは、第二のコンテンツ出力装置の一例である。
ＨＤＭＩ規格は、映像データを、各色の原色データとして、１画素単位で個別に伝送する規格である（以下画素をピクセルと称する）。ＨＤＭＩ規格では、音声データについても、映像データのブランキング期間に、映像データの伝送ラインを使用して伝送するようにしてある。ＨＤＭＩ規格で伝送される原色データは、赤、緑、青の３つの原色データである。
各色の１ピクセルのデータは、基本的に８ビット単位で伝送する構成としてある。水平同期信号や垂直同期信号等の同期信号についても、それぞれの同期信号が配置されるタイミングに送信される。また、映像表示システムには、映像データのピクセルクロックの伝送ラインと、制御データの伝送ラインと、についても設けられている。このように、デジタルカメラＡ２０１ａ及びデジタルカメラＢ２０１ｂは、非圧縮のデジタル映像データをピクセル単位で表示装置１０１にデータ伝送する。
【００１０】
図１の１０１は表示装置で、外部から入力された映像、画像又は音声を表示する。
１０２は、表示装置１０１の映像比較部で、記憶部１０８で記憶された基準となる映像と、表示中の映像とを比較するものである。
１０３は、表示装置１０１の映像表示順の位置比較部で、記憶部１０８で記憶された基準となる映像の表示順の位置と、現在表示している表示順の位置とを比較する。
１０４は、表示装置１０１の入力ポート切換え部で、映像比較部１０２及び位置比較部１０３の比較結果に応じた制御部１０６からの指示でデジタルＩ／Ｆ部１０９の入力ポートを切換える。
４０１は、表示装置１０１のリモコンで、ユーザが表示装置１０１の操作、又は表示装置１０１を経由してデジタルカメラＡ２０１ａ、デジタルカメラＢ２０１ｂを操作するものである。
１０５は、表示装置１０１のリモコン受信部で、リモコン４０１からの信号を受信する。
１０６は、表示装置１０１の制御部で、表示装置全体を制御するものであり、例えばＣＰＵである。
１０７は、表示装置１０１の演算部で、デジタルＩＦ部１０９に入力された映像を圧縮し、画像データとする。本実施形態では演算部１０７は、ＪＰＥＧ方式で圧縮を行うものとする。演算部１０７の一例としては例えばＤＳＰである。
１０８は、表示装置１０１の記憶部で、基準となる映像の演算部１０７で圧縮された画像データ及び表示順の位置を記憶するものである。記憶部１０８は、記憶装置の一例である。
１０９は、表示装置１０１のデジタルインターフェース（ＩＦ）部で、デジタルカメラ等の外部機器から、映像又は音声を受信することができる。更に、デジタルＩＦ部１０９は、表示装置１０１と外部機器との間で、制御信号の双方向通信が可能である。
１１０は、表示装置１０１の表示部であり、デジタルＩＦ部１０９より出力される映像及び音声を、表示装置の画面に表示する。
【００１１】
２０１ａ、ｂは、デジタルカメラやビデオであり、ユーザにより撮影された映像や写真が保存されている。なお、本実施形態では２０１ａ、ｂは、デジタルカメラとする。
２０２ａ、ｂは、デジタルカメラ２０１の制御部で、デジタルカメラ全体を制御するものであり、例えばＣＰＵである。
２０３ａ、ｂは、デジタルカメラ２０１の記憶部で、ユーザにより撮影された映像や写真が保存する。本実施形態では、２０３ａに、写真ａ、写真ｂ、写真ｃ、が、２０３ｂに、写真ｄ、写真ｅ、写真ｆ、が保存されている。
２０４ａ、ｂは、デジタルカメラ２０１のデジタルＩＦ部で、映像、画像又は音声を送信することができる。更に、２０４ａ、ｂは、接続された機器間で制御信号を双方向に通信することができる。
２０５ａ、ｂは、デジタルカメラ２０１の映像出力部で、デジタルＩＦ部２０４で受けた制御信号をもとに、記憶部２０３に記憶されている映像を出力する。
【００１２】
図２は、表示装置のリモコンの構成図である。
４０１は、リモコンで、ユーザが表示装置の操作を行う為に使用するものである。４０２は、アップボタンである。ユーザ等にアップボタン４０２が押下されることにより、リモコン４０１は、接続されているデジタルカメラ２０１から出力される画像のスクロールアップを指示する信号を表示装置１０１に出力する。４０３は、ダウンボタンである。ユーザ等にダウンボタン４０３が押下されることにより、リモコン４０１は、接続されているデジタルカメラ２０１から出力される画像のスクロールダウンを指示する信号を表示装置１０１に出力する。４０４は、ＯＮ／ＯＦＦボタンである。ユーザ等にＯＮ／ＯＦＦボタン４０４が押下されることにより、リモコン４０１は、電源のＯＮ、ＯＦＦを指示する信号を表示装置１０１に出力する。４０５は、チャネル選択ボタンである。ユーザ等にチャネル選択ボタン４０５が押下されることにより、リモコン４０１は、選択されたチャンネルを識別する信号を表示装置１０１に出力する。
リモコン４０１のアップボタン４０２が押下されることにより、リモコン受信部１０５は、制御部１０６にスクロールアップ要求を出す。また、リモコン４０１のダウンボタン４０３が押下されることにより、リモコン受信部１０５は、制御部１０６にスクロールダウン要求を出す。
【００１３】
図３は、記憶部に記憶されるデータテーブルの一例を示す図である。
まず、データテーブルには、表示装置１０１によって、立ち上げ時、又は入力ポートが切換わる毎に、種別として初期画面画像である表示順の位置が記録される。更に、データテーブルには、表示装置１０１によって、それに対応する画面の画像情報が記録される。図３では００１．ＪＰＧという静止画画像（記録画像）が画像情報として記録されている例が示されている。またアップボタン４０２によってスクロールアップ方向に遷移させた後に、ダウンボタン４０３によりスクロールダウン方向に遷移させた際、データテーブルには、表示装置１０１によって、種別としてアップ方向折り返し画面画像である表示順の位置が記録される。更にデータテーブルには、表示装置１０１によって、それに対応する画面の画像情報が記録される。図３では００２．ＪＰＧという静止画画像（記録画像）が画像情報として記録されている例が示されている。またダウンボタン４０３によってスクロールダウン方向に遷移させた後に、アップボタン４０２によりスクロールアップ方向に遷移させた際、データテーブルには、表示装置１０１によって、種別としてダウン方向折り返し画面画像である表示順の位置が記録される。更にデータテーブルには、表示装置１０１によって、それに対応する画面の画像情報が記録される。図３では００３．ＪＰＧという静止画画像（記録画像）が画像情報として記録されている例が示されている。画面の遷移がある毎に、映像比較部１０２にて記録されている画像とデジタルカメラ２０１から入力された映像（画像）と、が比較される。画像が一致すると、位置比較部１０３にて、記録されている表示順の位置と、現在、表示中の画像の表示順の位置と、が比較される。
【００１４】
図４は、従来の表示装置での表示画面の画面遷移を説明するための図である。
表示順の位置は、出力されている表示画像の切換え順番の位置を示している。初めの画面での表示順の位置は０とする。テレビのリモコンのアップボタンが押されると、画面が１つスクロールされ、表示順の位置は＋１となる。更にアップボタンが押されると、表示順の位置は＋２となる。表示順の位置が０の状態で、テレビのリモコンのダウンボタンが押されると、画面が逆方向に１つスクロールされ、表示順の位置は−１となる。
初めに、表示装置の画面には、デジタルカメラＡの映像コンテンツａが表示されている。ユーザが、リモコンのアップボタンを押すと、画面が１つスクロールされ、デジタルカメラＡの映像コンテンツｂが表示される。更に、ユーザが、アップボタンを押すと、画面が１つスクロールされ、デジタルカメラＡの映像コンテンツｃが表示される。更に、ユーザが、アップボタンを押すと、デジタルカメラＡの映像コンテンツａが表示される。
また、ユーザが、ダウンボタンを押すと、デジタルカメラＡの映像コンテンツｃが、更にユーザが、ダウンボタンを押すと、デジタルカメラＡの映像コンテンツｂが表示される。
【００１５】
図５は、実施形態１における表示画面の画面遷移を説明するための図である。
初めに、表示装置１０１の画面には、デジタルカメラＡ２０１ａの映像コンテンツａが表示されている。この画面は記憶部１０８に記憶される。また、このときの表示順の位置０も、記憶部１０８に記憶される。
ユーザが、リモコン４０１のアップボタン４０２を押すと、画面が１つスクロールされ、デジタルカメラＡ２０１ａの映像コンテンツｂが表示される。更に、ユーザが、アップボタン４０２を押すと、画面が１つスクロールされ、デジタルカメラＡ２０１ａの映像コンテンツｃが表示される。
更に、ユーザが、アップボタン４０２を押すと、表示装置１０１は、画面に表示する映像入力を、デジタルカメラＢ２０１ｂが接続されているポートへ切換える。そして、表示装置１０１の画面には、デジタルカメラＢ２０１ｂの最初の映像コンテンツである、映像コンテンツｄが表示される。このとき、ユーザが、アップボタン４０２を押すと、デジタルカメラＡ２０１ａの最後の映像コンテンツである、映像コンテンツｃが表示される。
【００１６】
図６は、実施形態１における制御フローチャートである。
Ｓ７０１では、表示装置１０１は、現在、入力ポートＨＤＭＩ１にて接続されているデジタルカメラＡ２０１ａから入力される初期画面を演算部１０７にて圧縮する（初期画面圧縮）。本実施形態ではＪＰＥＧ方式で圧縮するものとする。
Ｓ７０２では、表示装置１０１は、圧縮された初期画面を静止画として記憶部１０８に記憶する（コンテンツ記憶）。
Ｓ７０３では、表示装置１０１は、初期画面の表示順の位置を記憶部１０８に記憶する（表示位置記憶）。初期画面では表示装置１０１は、０を記憶する。
Ｓ７０４では、表示装置１０１は、アップ若しくはダウン操作が行われたかを判定する。Ｙｅｓの場合、表示装置１０１は、Ｓ７０５へ進む。Ｎｏの場合、表示装置１０１は、アップ、ダウン操作があるまで待機する。
Ｓ７０５では、表示装置１０１は、デジタルカメラＡ２０１ａから入力される表示画面を演算部１０７にて圧縮する（表示画面圧縮）。圧縮方式及び圧縮率はＳ７０１と同じである。
Ｓ７０６では、表示装置１０１は、映像比較部１０２にて、Ｓ７０５で圧縮された表示画面と、Ｓ７０２で記憶された初期画面とが同じであるか判定する（コンテンツ比較）。表示装置１０１は、判定にはピクセルマッチング法を用いる。Ｙｅｓの場合、表示装置１０１は、Ｓ７０７へ進む。Ｎｏの場合、表示装置１０１は、表示部１１０に入力された映像を表示して、Ｓ７０４へ進む。
Ｓ７０７では、表示装置１０１は、位置比較部１０３にて、Ｓ７０３で記憶部１０８に記憶された初期画面の表示順の位置と、現在の表示順の位置とが異なるかを判定する（表示位置比較）。Ｙｅｓの場合、表示装置１０１は、Ｓ２０８へ進む。Ｎｏの場合、表示装置１０１は、Ｓ２０４へ進む。
Ｓ７０８では、表示装置１０１は、入力ポート切換え部１０４にて、入力ポートをＨＤＭＩ１からＨＤＭＫ２へ切換え、表示部１１０に表示される映像を、デジタルカメラＢ２０１ｂの出力画像に切換える。
【００１７】
＜実施形態２＞
本実施形態と実施形態１とでは、表示画面（表示中の画像）と記憶部１０８で記憶された画像とが、同じであるか否かを判定する方法が異なる。本実施形態の表示装置１０１は、まず高圧縮、つまり情報量が少ない画像を用いて判断を行う。その後、高圧縮画像で同じであると判定された場合のみ、低圧縮、つまり情報量が多い画像を用いて、判定する。詳細は以下で説明する。
表示装置１０１は、初めに、高圧縮な画像を用いて、表示中の画面と記憶された画像とが同じであるかの判定を行うことで、処理時間を大幅に短縮することができる。しかし、高圧縮な画像は、画像情報が多く欠落しており、判定の精度が低下する問題がある。よって、表示装置１０１は、高圧縮な画像で判定した後に、低圧縮な画像を用いて判定することで、判定の精度を改善する。
【００１８】
図７は、実施形態２における制御フローチャートである。
Ｓ８０１では、表示装置１０１は、入力ポートＨＤＭＩ１にて接続されているデジタルカメラＡ２０１ａから入力される初期画面を多重解像度圧縮する。本実施形態では、圧縮方式は離散ウェーブレット変換とする。また、基底関数としてＨａａｒ関数を用いるものとする。
Ｓ８０２では、表示装置１０１は、Ｓ８０１で圧縮された画像を記憶する。表示装置１０１は、圧縮率は１／１６、１／６４の２つを記憶部１０８に記憶する。
Ｓ８０３では、表示装置１０１は、初期画面の表示順の位置を記憶部１０８に記憶する。初期画面では表示装置１０１は、０を記憶する。
Ｓ８０４では、表示装置１０１は、アップ若しくはダウン操作が行われたかを判定する。Ｙｅｓの場合、表示装置１０１は、Ｓ８０５へ進む。Ｎｏの場合、表示装置１０１は、アップ、ダウン操作があるまで待機する。
Ｓ８０５では、表示装置１０１は、デジタルカメラＡ２０１ａから入力される表示画面を演算部１０７にて多重解像度圧縮する。圧縮方式及び圧縮率はＳ８０１と同じである。
Ｓ８０６では、表示装置１０１は、映像比較部１０２にて、Ｓ８０５で圧縮された圧縮率が１／６４の表示画面と、Ｓ８０２で記憶された圧縮率が１／６４の初期画面とが、同じであるか判定する。Ｙｅｓの場合、表示装置１０１は、Ｓ８０７へ進む。Ｎｏの場合、表示装置１０１は、Ｓ８０４へ進む。
Ｓ８０７では、表示装置１０１は、映像比較部１０２にて、Ｓ８０５で圧縮された圧縮率が１／１６の表示画面と、Ｓ８０２で記憶された圧縮率が１／１６の初期画面とが、同じであるか判定する。Ｙｅｓの場合、表示装置１０１は、Ｓ８０８へ進む。Ｎｏの場合、表示装置１０１は、Ｓ８０４へ進む。
Ｓ８０８では、表示装置１０１は、位置比較部１０３にて、Ｓ８０３で記憶部１０８に記憶された初期画面の表示順の位置と、現在の表示順の位置とが異なるかを判定する。Ｙｅｓの場合、表示装置１０１は、Ｓ８０９へ進む。Ｎｏの場合、表示装置１０１は、表示部１１０に入力された映像を表示して、Ｓ８０４へ進む。
Ｓ８０９では、表示装置１０１は、入力ポート切換え部１０４にて、入力ポートをＨＤＭＩ１からＨＤＭＫ２へ切換え、表示部１１０に表示される映像を、デジタルカメラＢ２０１ｂの出力画像に切換える。
【００１９】
＜実施形態３＞
本実施形態と実施形態１との違いは、初期画面だけでなく、逆方向に画面遷移したときの表示画像と、逆方向に画面遷移したときの表示順の位置も記憶し、判定処理を行うことである。逆方向に画面遷移した時の表示画像も記憶し、判定に加えることで、次のデジタルカメラ２０１に切換えるまでの、映像コンテンツの重複表示を防止することができる。よって、複数のデジタルカメラ２０１の映像コンテンツを、効率的に閲覧することができる。詳細は以下で説明する。
図８は、実施形態３における表示画面の画面遷移を説明するための図である。
初めに、表示装置１０１の表示部１１０には、デジタルカメラＡ２０１ａの映像コンテンツａが表示されている。この画面は、記憶部１０８で記憶される。また、このときの表示順の位置０も、記憶部１０８で記憶される。
ユーザが、リモコン４０１のダウンボタン４０３を押すと、デジタルカメラＡ２０１ａの映像コンテンツｃが表示される。その後、ユーザが、アップボタン４０２を押すと、画面が先程とは逆の方向に１つ遷移し、デジタルカメラＡ２０１ａの映像コンテンツａが表示される。このとき、遷移方向が逆になっているので、表示されているデジタルカメラＡ２０１ａの映像コンテンツｃの画像と、表示順の位置−１とが記憶部１０８に記憶される。
その後、ユーザが、アップボタン４０２を押すと、デジタルカメラＡ２０１ａの映像コンテンツｂが表示される。更に、ユーザが、アップボタン４０２を押すと、デジタルカメラＡ２０１ａの映像コンテンツｃの映像信号が、テレビに入力される。ここで、入力される映像信号は、記憶されている画像であるカメラＡの映像コンテンツｃと等しくなる。更に、この時点での表示順の位置は＋２であり、記憶されている−１とは異なる。よって、表示装置１０１は、画面に表示する映像入力を、デジタルカメラＢ２０１ｂが接続されているＨＤＭＩ２へ切換える。そして、表示装置１０１の画面には、デジタルカメラＢ２０１ｂの最初の映像コンテンツである、映像コンテンツｄが表示される。このとき、ユーザが、ダウンボタン４０３を押すと、デジタルカメラＡ２０１ａの映像コンテンツｂが表示される。
【００２０】
図９は、実施形態３における制御フローチャートである。
Ｓ９０１では、表示装置１０１は、入力ポートＨＤＭＩ１にて接続されているデジタルカメラＡ２０１ａから入力される初期画面を演算部１０７にて圧縮する。
Ｓ９０２では、表示装置１０１は、圧縮された初期画面を動画の特徴として抽出して記憶部１０８に記憶し、これを用いて映像（動画）の一致、不一致を検出する。
なお、映像の特徴としては映像中の直流成分、或いは低周波数成分を用いてもよい。
Ｓ９０３では、表示装置１０１は、初期画面の表示順の位置を記憶部１０８に記憶する。初期画面では表示装置１０１は、０を記憶する。
Ｓ９０４では、表示装置１０１は、アップ若しくはダウン操作が行われたかを判定する。Ｙｅｓの場合、表示装置１０１は、Ｓ９０５へ進む。Ｎｏの場合、表示装置１０１は、アップ、ダウン操作があるまで待機する。
Ｓ９０５では、表示装置１０１は、指示された操作の方向が、１つ前に指示された操作の方向と、逆方向であるかを判定する。逆方向の場合、表示装置１０１は、Ｓ９０６へ進む。同じ方向の場合、表示装置１０１は、Ｓ９１０へ進む。
Ｓ９０６では、表示装置１０１は、表示画面を演算部１０７にて圧縮する。圧縮方式及び圧縮率はＳ９０１と同じである。
Ｓ９０７では、表示装置１０１は、Ｓ９０６で圧縮された画像を記憶部１０８に記憶する。
Ｓ９０８では、表示装置１０１は、表示中の画面での表示順の位置を記憶部１０８に記憶する。
Ｓ９０９では、表示装置１０１は、表示部１１０に入力された映像を表示する。
Ｓ９１０では、表示装置１０１は、表示画面を演算部１０７にて圧縮する。圧縮方式及び圧縮率はＳ９０１と同じである。
Ｓ９１１では、表示装置１０１は、映像比較部１０２にて、Ｓ９１０で圧縮された表示画面と、Ｓ９０２とＳ９０７で記憶部１０８に記憶された画像と、が同じであるか判定する。少なくともどちらか１つと同じ場合、表示装置１０１は、Ｓ９１２へ進む。両方とも違う場合、表示装置１０１は、Ｓ９０４へ進む。
Ｓ９１２では、表示装置１０１は、位置比較部１０３にて、Ｓ９０３とＳ９０８とで記憶部１０８に記憶された表示順の位置と、現在の画面での表示順の位置とが異なるか否かを判定する。Ｓ９１１で、Ｓ９０２で記憶された画像を同じと判定された場合、表示装置１０１は、Ｓ９０３で記憶された表示順の位置を判定処理に用いる。Ｓ９１１で、Ｓ９０７で記憶された画像を同じと判定された場合、表示装置１０１は、Ｓ９０８で記憶された表示順の位置を判定処理に用いる。異なる場合、表示装置１０１は、Ｓ９１３へ進む。同じ場合、表示装置１０１は、Ｓ９０４へ進む。
Ｓ９１３では、表示装置１０１は、入力ポート切換え部１０４にて、入力ポートをＨＤＭＩ１からＨＤＭＫ２へ切換え、表示部１１０に表示される映像を、デジタルカメラＢ２０１ｂの出力画像に切換える。
【００２１】
＜その他の実施形態＞
上述した機能又はフローチャートに係る工程は、ネットワーク又は各種記憶媒体を介して取得したソフトウェア（プログラム）をパソコン等の処理装置（ＣＰＵ、プロセッサ）にて実行することでも実現できる。
【００２２】
以上、上述した各実施形態によれば、映像出力装置から入力される映像と映像表示順の位置とに基づいて、表示装置１０１が表示する映像を切換える。
したがって、表示装置１０１は、映像出力装置に映像コンテンツの選択状態を通知する手段がない場合でも、対応することができる。
したがって、より多くの映像出力装置の映像コンテンツを、連続的、かつ、循環的に閲覧することができる。
よって、映像出力装置に映像コンテンツの選択状態を通知する手段がない場合でも、表示装置が表示する映像（コンテンツ）を切換え可能にすることができる。
【００２３】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００２４】
１０１  表示装置
【図１】
2010288159.tif 000003
【図２】
2010288159.tif 000004
【図３】
2010288159.tif 000005
【図４】
2010288159.tif 000006
【図５】
2010288159.tif 000007
【図６】
2010288159.tif 000008
【図７】
2010288159.tif 000009
【図８】
2010288159.tif 000010
【図９】
2010288159.tif 000011